(57)【要約】【課題】非常用照明装置の点検を効率良く行うこと。【解決手段】実施形態に係る照明システム１は、照明装置１０とサーバ２０とを有する。照明装置１０とサーバ２０とはインターネットで接続されている。サーバ２０は、照明装置１０に点検を開始することを指示する。そして、照明装置１０は、サーバ２０によって点検を開始することが指示された場合に、点検に関する動作を実行する。このとき、照明装置１０は、点検に関する動作が行われた際に所定の情報を取得し、取得した情報をサーバ２０に通知する。【選択図】図１
2018120750.tif 000002
【特許請求の範囲】
【請求項１】
サーバと、光源を備えた照明装置と、を有する照明システムであって、
前記サーバは、
インターネットを介してデータの通信を行う通信部と、
前記通信部を介して、前記照明装置に点検を開始することを指示する指示部と、
を具備し、
前記照明装置は、
インターネットを介してデータの通信を行う通信部と、
前記サーバによって点検を開始することが指示された場合に、点検に関する動作を前記照明装置に実行させる点検部と、
前記点検に関する動作が行われた際に、前記照明装置に関する所定の情報を取得する取得部と、
前記通信部を介して、前記取得部によって取得された情報を前記サーバに通知する通知部と、
を具備することを特徴とする照明システム。
【請求項２】
前記点検部は、前記点検に関する動作を、法令で定められた点検時間よりも短い時間だけ実行させることを特徴とする請求項１に記載の照明システム。
【請求項３】
前記サーバは、
前記照明装置から通知された点検に関する情報が、あらかじめ設定された所定の条件を満たすか否かを判定する判定部と、
前記判定部による判定の結果に関する情報を、前記サーバとインターネットで接続された端末に報知する報知部と、
をさらに具備することを特徴とする請求項１又は２に記載の照明システム。
【請求項４】
前記照明装置は、
前記光源への電力の供給及び充電が可能な電源と、
外部から供給される電力を用いて前記電源を充電する充電部と、
前記電源から電力が供給される疑似回路と、
をさらに具備し、
前記点検部は、前記光源を点灯させず前記疑似回路を動作させ前記照明装置に関する所定の情報を取得することを特徴とする請求項１から３のいずれか１項に記載の照明システム。
【発明の詳細な説明】
【技術分野】
【０００１】
本発明の実施形態は、照明システムに関する。
【背景技術】
【０００２】
従来、非常時に非常用電源を用いて点灯する非常用照明装置が知られている。また、法令により、非常用照明装置の点検を定期的行うことが定められている。非常用照明装置の定期的な点検は、例えば、点検者が非常用照明装置を規定の点検時間以上連続して点灯させることによって行われる。
【先行技術文献】
【特許文献】
【０００３】
【特許文献１】特開２０１２−２５２８３２号公報
【非特許文献】
【０００４】
【非特許文献１】“施設・屋外照明カタログ2016〜2017”、［online］、東芝ライテック株式会社  ２０１６年６月、［平成２９年１月１８日検索］、インターネット<http://www.tlt.co.jp/tlt/catalog/catalog_view/pdf/c4055.pdf>
【発明の概要】
【発明が解決しようとする課題】
【０００５】
しかしながら、従来の非常用照明装置の点検には多くの工数が必要であった。
【０００６】
本発明は、非常用照明装置の点検を効率良く行うことを目的とする。
【課題を解決するための手段】
【０００７】
実施形態に係る照明システムは、サーバと、照明装置と、を有する照明システムであって、前記サーバは、インターネットを介してデータの通信を行う通信部と、前記通信部を介して、前記照明装置に点検を開始することを指示する指示部と、を具備し、前記照明装置は、インターネットを介してデータの通信を行う通信部と、前記サーバによって点検を開始することが指示された場合に、点検に関する動作を前記照明装置に実行させる点検部と、前記点検に関する動作が行われた際に、前記照明装置に関する所定の情報を取得する取得部と、前記通信部を介して、前記取得部によって取得された情報を前記サーバに通知する通知部と、を具備することを特徴とする。
【図面の簡単な説明】
【０００８】
【図１】図１は、実施形態に係る照明システムの構成例を示す図である。
【図２】図２は、実施形態に係る照明装置の構成例を示す図である。
【図３】図３は、実施形態に係る照明装置の制御部の構成例を示す図である。
【図４】図４は、実施形態に係るサーバの構成例を示す図である。
【図５】図５は、実施形態に係る装置情報の一例を示す図である。
【図６】図６は、実施形態に係る点検情報の一例を示す図である。
【図７】図７は、実施形態に係る放電カーブの一例を示す図である。
【図８】図８は、実施形態に係る端末の構成例を示す図である。
【図９】図９は、実施形態に係る照明システムの処理シーケンスの一例を示す図である。
【図１０】図１０は、実施形態に係る非常用照明装置の構造例を示す図である。
【発明を実施するための形態】
【０００９】
以下で説明する実施形態に係る照明システム１は、照明装置１０とサーバ２０とを有する。照明装置１０は、通信部１４と点検部１２４と取得部１５と通知部１２５とを具備する。通信部１４は、インターネットを介して通信を行う。点検部１２４は、サーバ２０によって点検を開始することが指示された場合に、点検に関する動作を照明装置１０に実行させる。取得部１５は、点検に関する動作が行われた際に、照明装置１０に関する所定の情報を取得する。通知部１２５は、通信部１４を介して、取得部１５によって取得された情報をサーバ２０に通知する。また、サーバ２０は、通信部２１と指示部２３１とを具備する。通信部２１は、インターネットを介して通信を行う。指示部２３１は、通信部２１を介して、照明装置１０に点検を開始することを指示する。
【００１０】
また、以下で説明する実施形態に係る照明システム１において、点検部１２４は、点検に関する動作を、法令で定められた点検時間よりも短い時間だけ実行させるようにしてもよい。
【００１１】
また、以下で説明する実施形態に係る照明システム１において、サーバ２０は、照明装置１０から通知された点検に関する情報が、あらかじめ設定された所定の条件を満たすか否かを判定する判定部２３２と、判定部２３２による判定の結果に関する情報を、サーバ２０とインターネットで接続された端末３０に報知する報知部２３３と、をさらに具備してもよい。
【００１２】
また、以下で説明する実施形態に係る照明システム１において、照明装置１０は、光源１１への電力の供給及び充電が可能な非常用電源１３と、外部から供給される電力を用いて非常用電源１３を充電する充電部１２２と、非常用電源１３から電力が供給される疑似回路と、をさらに具備してもよい。このとき、点検部１２４は、光源１１を点灯させず疑似回路を動作させ照明装置に関する情報を取得する。
【００１３】
以下、図面を参照して、実施形態に係る照明システム１を説明する。実施形態において同一の部位には同一の符号を付し、重複する説明は省略される。
【００１４】
（実施形態）
図１〜１０を用いて、実施形態に係る照明システムについて説明する。
【００１５】
［照明システムの構成］
図１は、実施形態に係る照明システムの構成例を示す図である。図１に示すように、照明システム１は、照明装置１０、サーバ２０を有する。また、照明装置１０とサーバ２０は、ネットワーク２を介して接続されている。ネットワーク２は、例えば、インターネットである。また、サーバ２０は、例えば、クラウドネットワーク上のＷｅｂサーバであってもよい。また、ネットワーク２には、点検者３が操作する端末３０がさらに接続されている。
【００１６】
サーバ２０は、照明装置１０及び端末３０と、ネットワーク２を介して相互に通信を行うことができる。サーバ２０から照明装置１０及び端末３０に至るまでの通信経路は、有線であっても無線であってもよい。また、図１の照明装置１０の数は一例であり、照明システム１の構成に応じて適宜変更することができる。
【００１７】
また、照明装置１０は、ゲートウェイ装置等を介してネットワーク２と接続されていてもよいし、それぞれに備えられた通信モジュールによって直接ネットワーク２と接続されていてもよい。照明装置１０は、例えば、無線通信モジュールを備えたＬＥＤ照明機器である。また、端末３０は、例えば、スマートフォン、タブレット端末、ＰＣ（Personal  Computer）、携帯電話機、ＰＤＡ（Personal  Data  Assistance）等である。また、照明装置１０が設置されている場所４と、点検者３が端末３０を操作する場所５は、異なる場所とすることができる。例えば場所４をオフィスビルとし、場所５を当該オフィスビルと離れた場所にあるビル管理のための事務所とすることができる。
【００１８】
例えば、サーバ２０は、端末３０からの指示に応じて、照明装置１０に点検を開始することを指示する。また、照明装置１０は、点検に関する動作を行った際に取得した情報をサーバ２０に通知する。以下、照明システム１の各装置の構成を説明する。
【００１９】
［照明装置の構成］
まず、図２を用いて、照明装置１０の構成について説明する。図２は、実施形態に係る照明装置の構成例を示す図である。図２に示すように、照明装置１０は、光源１１、制御部１２、非常用電源１３、通信部１４及び取得部１５を有する。また、照明装置１０の外部の商用電源９は、照明装置１０に電力を供給する。
【００２０】
光源１１は、商用電源９からの電力の供給が停止された場合に、制御部１２の制御により非常用電源１３から電力の供給を受けて点灯する。つまり、照明装置１０は、非常時に非常用電源を用いて点灯する非常用照明装置である。また、光源１１は、ＬＥＤ等の点光源であってもよいし、有機ＥＬ等の面光源であってもよい。
【００２１】
制御部１２は、照明装置１０全体を制御する。制御部１２は、例えば、抵抗器やコンデンサ等の回路素子によって構成される制御回路である。また、制御部１２は、例えば、ＣＰＵ（Central  Processing  Unit）、ＭＰＵ（Micro  Processing  Unit）等の電子回路や、ＡＳＩＣ（Application  Specific  Integrated  Circuit）、ＦＰＧＡ（Field  Programmable  Gate  Array）等の集積回路であってもよい。このとき、制御部１２は、各種の処理手順を規定したプログラムや制御データを格納するための内部メモリを有し、内部メモリを用いて各処理を実行する。また、制御部１２は、各種のプログラムが動作することにより各種の処理部として機能する。制御部１２は、サーバ２０によって点検を開始することが指示された場合に、点検に関する動作を照明装置１０に実行させる。制御部１２の各部の構成及び動作については後述する。
【００２２】
非常用電源１３は、充電が可能な蓄電池である。非常用電源１３は、制御部１２の制御により、商用電源９から供給される電力を用いて充電され、また、光源１１に電力を供給する。
【００２３】
通信部１４は、インターネットを介して、他の装置との間でデータ通信を行う。通信部１４は、例えば、インターネットに接続したゲートウェイ装置との間で通信可能な無線通信モジュールである。また、通信部１４は、ゲートウェイ装置等を介さずに、直接インターネットに接続可能な通信モジュールであってもよい。
【００２４】
取得部１５は、点検に関する動作が行われた際に、照明装置１０に関する所定の情報を取得する。取得部１５は、例えば、照明装置１０の各種情報を取得するセンサである。取得部１５は、制御部１２の所定の回路の電圧を測定する電圧センサであってもよい。この場合、取得部１５は、所定の情報として電圧を取得する。また、取得部１５は、照明装置１０の所定部分に備えられた温度センサであってもよい。この場合、取得部１５は、所定の情報として温度を取得する。また、取得部１５は、照明装置１０の所定部分に備えられた光センサであってもよい。この場合、取得部１５は、所定の情報として光源１１が点灯したか否かを取得する。また、取得部１５は、所定の情報として、照明装置１０の回路の所定の箇所に電流が流れたか否かを取得するものであってもよい。
【００２５】
ここで、図３を用いて、制御部１２の構成について説明する。図３は、実施形態に係る照明装置の制御部の構成例を示す図である。図３に示すように、制御部１２は、点灯部１２１、充電部１２２、放電部１２３、点検部１２４及び通知部１２５を有する。
【００２６】
点灯部１２１は、光源１１の点灯及び消灯を制御する。点灯部１２１は、商用電源９から照明装置１０に電力が供給されている場合は光源１１を消灯させ、商用電源９から照明装置１０へ電力が供給されていない場合は非常用電源１３から供給される電力を用いて光源１１を点灯させる。
【００２７】
また、点検に関する動作が行われる際、点灯部１２１は、点検部１２４からの命令により光源１１の点灯及び消灯を制御してもよい。この場合、点検部１２４から光源１１を点灯させる命令があった場合、点灯部１２１は光源１１を点灯させる。一方、点検部１２４から光源１１を消灯させる命令があった場合、点灯部１２１は光源１１を消灯させる。なお、点検に関する動作が行われる際であっても、点灯部１２１は、通常時と同様の制御を行うようにしてもよい。
【００２８】
充電部１２２は、非常用電源１３の充電を行う。充電部１２２は、商用電源９から供給される電力を用いて非常用電源１３を充電する。また、充電部１２２は、非常用電源１３の蓄電量が所定量以上となった場合は充電を行わないようにしてもよい。
【００２９】
また、点検に関する動作が行われる際、充電部１２２は、点検部１２４からの命令により非常用電源１３の充電を行うようにしてもよい。この場合、点検部１２４から充電を開始する命令があった場合、充電部１２２は非常用電源１３を充電する。一方、点検部１２４から充電を停止する命令があった場合、充電部１２２は非常用電源１３の充電を停止する。なお、点検に関する動作が行われる際であっても、充電部１２２は、通常時と同様の制御を行うようにしてもよい。
【００３０】
放電部１２３は、点検部１２４からの命令により非常用電源１３を放電させる。放電部１２３は、光源１１を含まない放電用の疑似回路を含んでいてもよい。また、疑似回路は、光源１１を含んだ点灯用回路と別に用意されたものであってもよいし、スイッチの切り替えにより光源１１を点灯させるか否かを切り替え可能なものであってもよい。疑似回路は、例えば抵抗器を含む。このとき、点検部１２４は、光源１１を点灯させず疑似回路を動作させ照明装置１０に関する所定の情報を取得する。このとき、取得部１５は疑似回路の所定箇所の電圧を取得する。これにより、光源１１を点灯させることなく点検を行うことができるようになる。
【００３１】
点検部１２４は、サーバ２０によって点検を開始することが指示された場合に、点検に関する動作を照明装置１０に実行させる。点検部１２４は、点灯部１２１、充電部１２２、放電部１２３等に所定の信号を送信することで命令を行い、点検に関する動作を実行させる。
【００３２】
前述の通り、非常用照明装置の定期点検を行う際は、非常用照明装置を規定の点検時間以上連続して点灯させることが法令（例えば、建築基準法）で定められている。ここで、規定の点検時間は、例えば３０分のような非常に長い時間である場合がある。
【００３３】
そこで、点検部１２４は、点検に関する動作を、法令で定められた点検時間よりも短い時間だけ実行させるようにしてもよい。これにより、法定の定期点検とは別に、簡易な点検を行うことができるようになる。
【００３４】
例えば、点検部１２４は、点灯部１２１に、点検に関する動作として、光センサで感知可能な最低限の時間だけ光源１１を点灯させるようにしてもよい。また、点検部１２４は、例えば、放電部１２３に、点検に関する動作として、パルス電圧を発生させるようにしてもよい。これらの点検に関する動作は、例えば３０分より短い時間で行うことができると考えられる。
【００３５】
通知部１２５は、取得部１５によって取得された点検に関する情報をサーバ２０に送信する。例えば、通知部１２５は、取得部１５によって取得された点検に関する情報を所定の形式のデータに変換し、当該データを、通信部１４を介して送信する。このとき、通知部１２５は、送信するデータに、照明装置１０のそれぞれを識別するための情報を付与する。
【００３６】
［サーバの構成］
次に、サーバ２０の構成について説明する。図４は、実施形態に係るサーバの構成例を示す図である。図４に示すように、サーバ２０は、通信部２１、記憶部２２及び制御部２３を有する。
【００３７】
通信部２１は、インターネットを介して、他の装置との間でデータ通信を行う。例えば、通信部２１はＮＩＣ（Network  Interface  Card）である。記憶部２２は、ＨＤＤ（Hard  Disk  Drive）、ＳＳＤ（Solid  State  Drive）、光ディスク等の記憶装置である。なお、記憶部２２は、ＲＡＭ（Random  Access  Memory）、フラッシュメモリ、ＮＶＳＲＡＭ（Non  Volatile  Static  Random  Access  Memory）等のデータを書き換え可能な半導体メモリであってもよい。記憶部２２は、サーバ２０で実行されるＯＳ（Operating  System）や各種プログラムを記憶する。さらに、記憶部２２は、プログラムの実行で用いられる各種情報を記憶する。また、記憶部２２は、装置情報２２１及び点検情報２２２を記憶する。
【００３８】
図５を用いて、装置情報２２１について説明する。図５は、実施形態に係る装置情報の一例を示す図である。図５に示すように、装置情報２２１には、識別ＩＤと型番が含まれる。識別ＩＤは、照明装置１０を識別するためのＩＤである。また、型番は、照明装置１０の型番である。型番は、製品ごとにあらかじめ定められており、識別ＩＤと型番は多対１で対応している。
【００３９】
例えば、照明装置１０の通知部１２５は、通知する情報に、照明装置１０のそれぞれを識別するための情報として、識別ＩＤを付与する。そして、サーバ２０は、装置情報２２１を参照することで、情報を通知した照明装置１０の型番を取得することができる。例えば、識別ＩＤが「Ａ０００１」である照明装置１０の型番は、「ＬＥＤ０１」である。また、識別ＩＤが「Ａ０００２」である照明装置１０の型番は、「ＬＥＤ０２」である。また、識別ＩＤは、照明装置１０のそれぞれに設定されたＩＰアドレスやＭＡＣアドレス等に基づくものであってもよい。
【００４０】
図６を用いて、装置情報２２１について説明する。図６は、実施形態に係る点検情報の一例を示す図である。図６に示すように、点検情報２２２には、型番と点検タイプが含まれる。点検情報２２２は、装置情報２２１の型番と対応している。また、点検タイプは、あらかじめ設定された点検結果の判定方法に関する情報である。なお、点検結果の判定は判定部２３２によって行われる。判定部２３２による点検結果の判定については後述する。例えば、型番「ＬＥＤ０１」の点検タイプは「Ａ」である。また、型番「ＬＥＤ０２」の点検タイプは「Ｂ」である。
【００４１】
制御部２３は、サーバ２０全体を制御する。制御部１２は、例えば、ＣＰＵ、ＭＰＵ等の電子回路や、ＡＳＩＣ、ＦＰＧＡ等の集積回路である。このとき、制御部２３は、各種の処理手順を規定したプログラムや制御データを格納するための内部メモリを有し、内部メモリを用いて各処理を実行する。また、制御部２３は、各種のプログラムが動作することにより各種の処理部として機能する。制御部２３は、指示部２３１、判定部２３２及び報知部２３３を有する。
【００４２】
指示部２３１は、通信部２１を介して、照明装置１０に点検を開始することを指示する。指示部２３１は、例えば、端末３０からの指示に応じて、照明装置１０に点検を開始することを指示するようにしてもよい。このとき、指示部２３１は、端末３０から識別ＩＤを取得し、当該識別ＩＤに対応する照明装置１０に対して指示を行う。
【００４３】
判定部２３２は、照明装置１０から通知された点検に関する情報が、あらかじめ設定された所定の条件を満たすか否かを判定する。判定部２３２は、点検情報２２２の点検タイプに基づいて、判定のための所定の条件を特定する。判定のための所定の条件は、例えば閾値であってもよい。そして、判定部２３２は、点検に関する情報が所定の条件を満たす場合、対応する照明装置１０を正常と判定し、そうでない場合は異常と判定するようにしてもよい。
【００４４】
例えば、判定部２３２は、点検に関する情報から光源１１が点灯したか否かを示す値を抽出し、当該値が光源１１が点灯したことを示している場合、照明装置１０を正常と判定する。一方、当該値が光源１１が点灯しなかったことを示している場合、対応する照明装置１０を異常と判定する。
【００４５】
ここで、蓄電池の所定の放電容量における出力電圧は、充放電を繰り返すうちに低下していくことが考えられる。そこで、このような性質を利用して、判定部２３２は、所定の放電容量における出力電圧を基に、非常用電源１３の残りの寿命が、所定値より長いか短いかを判定してもよい。具体的に、判定部２３２は、放電カーブを用いて判定を行う。
【００４６】
図７を用いて、放電カーブについて説明する。図７は、実施形態に係る放電カーブの一例を示す図である。ここで、同一の型番の照明装置１０には、同一の性能を持つ非常用電源１３が備えられていることとする。そして、放電カーブＡは、点検タイプが「Ａ」である型番の照明装置１０の非常用電源１３の性能を基に作成された放電カーブである。また、放電カーブＢは、点検タイプが「Ｂ」である型番の照明装置１０の非常用電源１３の性能を基に作成された放電カーブである。
【００４７】
例えば、照明装置１０の点検部１２４は、非常用電源１３を２０００ｍＡｈだけ放電させるように放電部１２３に命令する。そして、取得部１５は、２０００ｍＡｈの放電が完了した非常用電源１３の出力電圧を取得する。そして、通知部１２５は、取得部１５によって取得された出力電圧をサーバ２０に通知する。なお、サーバ２０は、各型番について、放電容量が２０００ｍＡｈであるときの出力電圧の閾値のみを記憶しておいてもよいし、例えば、５００ｍＡｈ刻みの出力電圧の閾値を記憶しておいてもよい。
【００４８】
サーバ２０の判定部２３２は、図７の放電カーブＡの、放電容量が２０００ｍＡｈであるときの電圧が３．０Ｖであることを読み取る。そして、出力電圧が３．０Ｖより小さい場合、判定部２３２は、照明装置１０を異常と判定する。つまり、判定部２３２は、照明装置１０の非常用電源１３の残り寿命が所定値より短いと判定する。なお、ここでの所定値は、非常用電源１３の交換が必要と考えられる残り寿命とすることができる。
【００４９】
報知部２３３は、判定部２３２による判定の結果に関する情報を、サーバ２０とインターネットで接続された端末３０に報知する。例えば、判定部２３２が、照明装置１０の非常用電源１３の残り寿命が所定値より短いと判定した場合、報知部２３３は、「非常用電源の交換をしてください。」というメッセージを端末３０に報知する。また、報知部２３３は、異常と判定したか正常と判定したかのみを報知するようにしてもよい。また、判定部２３２が異常と判定した場合、報知部２３３は、判定方法に関連付けられたコードを報知するようにしてもよい。
【００５０】
［端末の構成］
次に、端末３０の構成について説明する。図８は、実施形態に係る端末の構成例を示す図である。図８に示すように、端末３０は、通信部３１、入出力部３２、記憶部３３及び制御部３４を有する。
【００５１】
通信部３１は、インターネットを介して、他の装置との間でデータ通信を行う。例えば、通信部３１はＮＩＣである。入出力部３２は、データの入出力を行う。入出力部３２には、ディスプレイ、タッチパネル、マウス、キーボード等が含まれる。記憶部３３は、ＨＤＤ、ＳＳＤ、光ディスク等の記憶装置である。なお、記憶部３３は、ＲＡＭ、フラッシュメモリ、ＮＶＳＲＡＭ等のデータを書き換え可能な半導体メモリであってもよい。記憶部３３は、端末３０で実行されるＯＳや各種プログラムを記憶する。さらに、記憶部３３は、プログラムの実行で用いられる各種情報を記憶する。
【００５２】
制御部３４は、端末３０全体を制御する。制御部３４は、例えば、ＣＰＵ、ＭＰＵ等の電子回路や、ＡＳＩＣ、ＦＰＧＡ等の集積回路である。このとき、制御部３４は、各種の処理手順を規定したプログラムや制御データを格納するための内部メモリを有し、内部メモリを用いて各処理を実行する。また、制御部３４は、各種のプログラムが動作することにより各種の処理部として機能する。制御部３４は、指示部３４１及び表示部３４２を有する。
【００５３】
指示部３４１は、サーバ２０に、点検を開始することを指示する。例えば、指示部３４１は、点検者３による入力に基づいて、サーバ２０に点検を開始する指示を送信する。
【００５４】
また、表示部３４２は、サーバ２０の報知部２３３から報知された情報に基づき、表示制御を行う。ここで、例えば、入出力部３２はタッチパネルであるとする。そして、報知部２３３からメッセージが報知された場合、表示部３４２は、当該メッセージを入出力部３２に表示させる。また、報知部２３３からコードが報知された場合、表示部３４２は、当該コード又はあらかじめ設定された当該コードに対応するメッセージを入出力部３２に表示させる。
【００５５】
［照明システムの処理の手順］
図９を用いて、照明システム１の処理の手順を説明する。図９は、実施形態に係る照明システムの処理シーケンスの一例を示す図である。図９に示すように、点検者３は、端末３０に点検指示を入力する（ステップＳ１０１）。点検者３は、タッチパネルのタップ、コマンドの入力等により点検指示を入力する。また、点検者３は、端末３０のＷｅｂブラウザを用いて、専用のＷｅｂサイトから点検指示を入力するようにしてもよい。また、点検者３は、端末３０に点検対象の照明装置１０の識別ＩＤを入力するようにしてもよい。
【００５６】
次に、端末３０は、点検指示をサーバ２０に送信する（ステップＳ１０２）。このとき、端末３０は、点検指示とともに、点検対象の照明装置１０の識別ＩＤをサーバ２０に送信する。そして、サーバ２０は、識別ＩＤに対応する照明装置１０に対して、点検指示を送信する（ステップＳ１０３）。サーバ２０は、識別ＩＤと、対応する照明装置１０のＩＰアドレスを対応付けて記憶しておき、当該ＩＰアドレスを用いて点検指示を送信するようにしてもよい。
【００５７】
次に、照明装置１０は、点検指示を受けると、点検を行う（ステップＳ１０４）。具体的には、照明装置１０は点検に関する動作を行い、その際に照明装置１０に関する情報を取得する。そして、照明装置１０は、取得した情報をサーバ２０に検知結果として通知する（ステップＳ１０５）。
【００５８】
次に、サーバ２０は、照明装置１０から通知された検知結果に基づいて、当該照明装置１０が異常であるか否かを判定する（ステップＳ１０６）。そして、サーバ２０は判定結果を端末３０に報知する（ステップＳ１０７）。そして、端末３０は、サーバ２０によって報知された判定結果を、点検者３が参照可能な形式で表示する（ステップＳ１０８）。
【００５９】
［照明装置の構造］
図１０は、実施形態に係る非常用照明装置の構造例を示す図である。図１０（Ａ）は、側面断面図であり、図１０（Ｂ）は下面図である。  
【００６０】
図１０において、照明装置１０は、カバー１０１と蓋１０２とを有し、カバー１０１と蓋１０２とにより、照明装置１０の筐体が形成される。光源１１は、円形の蓋１０２の中心付近に、蓋１０２を貫通するように配置される。カバー１０１と蓋１０２とにより形成される筐体の内部空間内には、非常用電源１３と、回路基板１０３とが配置される。回路基板１０３は、商用電源９及び非常用電源１３に接続され、回路基板１０３上には、制御部１２が配置される。
【００６１】
また、カバー１０１と蓋１０２とにより形成される内部空間内に、通信部１４、すなわち通信モジュール用の設置スペース１０４が設けられ、照明装置１０に対して通信モジュールを後付けすることが可能になっている。このため、回路基板１０３は、通信モジュールの接続用のコネクタ１０６を有する。通信モジュールがコネクタ１０６を介して回路基板１０３に接続されることにより、通信モジュールは回路基板１０３を介して商用電源９又は非常用電源１３から電力を供給される。よって、当初、通信モジュールを有さない照明装置１０でも、コネクタ１０６を介して通信モジュールを後付けすることで、点検結果を外部に送信することが可能になる。
【００６２】
また、カバー１０１と蓋１０２は、通常、電波が通りにくい金属で形成される。そこで、通信モジュールが無線通信を行うものである場合、通信モジュールが後付けされることを考慮して、通信モジュールでの電波の送受信の感度を高めるために、電波の送受信用の貫通孔１０５を蓋１０２に設けるとよい。蓋１０２における貫通孔１０５の位置は、設置スペース１０４の直下であることが好ましい。
【００６３】
設置スペース１０４に後付けされる通信モジュールは、上記の疑似回路を有してもよい。通信モジュールが設置スペース１０４に設置されると、疑似回路への電流の流入が可能になる。
【００６４】
なお、後付けの通信モジュールには、点検モニタ、充電モニタ、及び、ランプモニタ等の各種のモニタが付加されても良い。
【００６５】
また、通信モジュールが無線通信を行うものである場合、通信モジュールのアンテナを紐状にし、その紐状のアンテナの先端を貫通孔１０５から突出させるようにして、通信モジュールの電波の送受信の感度をさらに高めてもよい。また、紐状のアンテナが、照明装置１０の点検動作の起動スイッチを兼ね、紐状のアンテナが引っ張られることにより照明装置１０が点検動作を開始してもよい。なお、通信モジュールのアンテナの形状は、紐状に限定されない。すなわち、通信モジュールのアンテナが引っ張られることにより、照明装置１０の点検動作が起動されるとともに、アンテナの先端又はアンテナの所定の範囲が貫通孔１０５から照明装置１０の筐体の外部へと露出することで、無線通信に用いる電波の伝播強度を向上させることができるのであれば、アンテナの形状については、任意の形状が採用可能である。
【００６６】
［実施形態の効果］
上述してきたように、実施形態に係る照明システム１によれば、点検者は、非常用照明装置の点検を、少ない工数で容易に行うことができる。つまり、実施形態に係る照明システム１によれば、非常用照明装置の点検を効率良く行うことができるようになる。
【００６７】
本発明の実施形態を説明したが、この実施形態は、例として提示したものであり、発明の範囲を限定することは意図していない。この実施形態は、その他の様々な形態で実施されることが可能であり、発明の要旨を逸脱しない範囲で、種々の省略、置き換え、変更を行うことができる。この実施形態は、発明の範囲や要旨に含まれると同様に、特許請求の範囲に記載された発明とその均等の範囲に含まれるものである。また、この実施形態は、処理内容を矛盾させない範囲で適宜組み合わせることが可能である。
【符号の説明】
【００６８】
１  照明システム
９  商用電源
１０  照明装置
１１  光源
１２、２３、３４  制御部
１３  非常用電源
１４、２１、３１  通信部
１５  取得部
２２、３３  記憶部
２０  サーバ
３０  端末
３２  入出力部
１２１  点灯部
１２２  充電部
１２３  放電部
１２４  点検部
１２５  通知部
２２１  装置情報
２２２  点検情報
２３１、３４１  指示部
２３２  判定部
２３３  報知部
３４２  表示部
【図１】
2018120750.tif 000003
【図２】
2018120750.tif 000004
【図３】
2018120750.tif 000005
【図４】
2018120750.tif 000006
【図５】
2018120750.tif 000007
【図６】
2018120750.tif 000008
【図７】
2018120750.tif 000009
【図８】
2018120750.tif 000010
【図９】
2018120750.tif 000011
【図１０】
2018120750.tif 000012